(57)【要約】本発明は、蛍光体（青、緑、赤）によってカラー化される複数の基本セルからなるプラズマディスプレイパネル上にビデオ画像シーケンスを表示するための方法に関している。本発明によれば、２つの連続画像（Ｉ，Ｉ＋１）の間の動きに対応する動きベクトル（ＭＶ）がコンピュータ処理され、関連するサブスキャンが少なくとも１つのタイプの蛍光体でもって表示される。変位の振幅は、動きベクトルの振幅と蛍光体のタイプに依存する。
2004525431.tif 000002
【特許請求の範囲】
【請求項１】
プラズマディスプレイパネル上にビデオ画像シーケンスを表示するための方法であって、複数の基本セルを有しており、該複数の基本セルの各々は、均等に分散配置された複数の蛍光体（青、緑、赤）の少なくとも２つのタイプの中から１つのタイプの蛍光体を含んでおり、ビデオ画像の表示が、複数のサブスキャンによって分割された表示周期で行われ、前記表示周期の間に、各基本セルが、それに関連する蛍光体のタイプに応じた色の光で発光と消光を繰り返す形式の方法において、
連続する２つの画像（Ｉ，Ｉ＋１）の間の動きに対応する動きベクトル（ＭＶ）がコンピュータ処理され、
少なくとも１つのタイプの蛍光体に関連付けられた複数のサブスキャンが表示され、
動きベクトルの振幅と蛍光体のタイプに依存して変位の振幅が定められるようにしたことを特徴とする方法。
【請求項２】
各画像のサブスキャンは、ディスプレイ周期と動きベクトルの振幅内でその時間的位置に従ってさらに表示される、請求項１記載の方法。
【請求項３】
３つのタイプの蛍光体（青、緑、赤）が用いられる、請求項１または２記載の方法。
【請求項４】
複数の基本セルを有しており、該複数の基本セルの各々は、均等に分散配置された複数の蛍光体（青、緑、赤）の少なくとも２つのタイプの中から１つのタイプの蛍光体を含んでおり、ビデオ画像の表示が、複数のサブスキャンによって分割された表示周期中に行われ、該表示周期の間は、各基本セルが、それに関連する蛍光体のタイプに応じた色の光で発光と消光を繰り返す形式のプラズマディスプレイパネルにおいて、
連続する２つの画像（Ｉ，Ｉ＋１）の間の動きに対応する動きベクトルをコンピュータ処理するための動き予測部と、少なくとも１つのタイプの蛍光体に関連付けられた複数のサブスキャンを表示するための手段が含まれており、動きベクトルの振幅と蛍光体のタイプに依存して変位の振幅が定められるように構成されていることを特徴とするプラズマディスプレイパネル。
【請求項５】
さらに各画像のサブスキャンを、ディスプレイ周期内で動きベクトルの振幅内でその時間的位置に従って表示するための手段が含まれている、請求項４記載のプロ図間ディスプレイパネル。
【請求項６】
３つのタイプの蛍光体（青、緑、赤）が含まれている、請求項４または５記載のプラズマディスプレイパネル。
【発明の詳細な説明】
【技術分野】
【０００１】
本発明は、プラズマディスプレイパネル上にビデオ画像シーケンスを表示する方法に関している。
【背景技術】
【０００２】
プラズマディスプレイパネル（ＰＤＰ）は、その前面壁に、発光材料の層を有しており、これが紫外光（ＵＶ）を可視光に変換している。この発光材料は、一般に蛍光体と呼ばれている。カラーイメージを得るために基本的に３つのタイプの蛍光体、詳細には青色蛍光体、赤色蛍光体、緑色蛍光体が用いられている。これらの３つのタイプの蛍光体は、特性に応じて異なる紫外光励起時間を有している。このディスプレイは、３つのタイプの蛍光体の時間応答特性において図１Ａ〜図１Ｅに示されている。これらの図面は、プラズマディスプレイパネルにおいて慣例的に使用されている蛍光体の応答性に対するタイミングダイヤグラムである。図１Ａには紫外光が発生している期間の周期Ｄが表されている。この紫外光は、蛍光体によって可視光に変換されている。図１Ｂには、青色蛍光体（例えば二価ユウロピウムによってドープされたアルミン酸バリウム・マグネシウム）によって発光された光が示されている。図１Ｃには、赤色蛍光体（例えば三価ユウロピウムによってドープされた硼酸イットリウム）によって発光された光が表されている。図１Ｄには、緑色蛍光体（例えばマンガンによってドープされたアルミン酸バリウム）によって発光された光が示されている。図１Ｂ〜図１Ｄは異なったバーチカルスケールでそれらの特性曲線の最大値を対応させるべく表されている。青の最大値は、赤の最大値よりも約４.３倍ほど大きく、緑の最大値よりも約５.５倍ほど大きい。これらのタイミングダイヤグラムは、各カラー毎に表示されるべき光エネルギーの分散を許容している。種々のカラーの光エネルギーの残光時間を比較してみれば、赤色と緑色両者の残光時間が青色の残光時間よりもはるかに長いことがわかっている。指標として、図面では発光エネルギーが最大値の１０％以下になるまでの残光時間を表している。それらの持続時間は、図１Ａの励起の終りから開始されて測定されている。それらについては青色光では約１ｍｓで、赤色光では約１１ｍｓ、緑色光では約１３ｍｓである。
【０００３】
図１Ｅは、これらの３つのカラーの演色を同じライトスケールで表しており、これらの３つの演色の和が肉眼にとって画素毎の知覚光となる。３つのカラーを融合させた結果としてのカラー検査では、画素が最初は青で現れ、その後で青から白（もしくはグレイ、色の光強度に依存する）に移行し、さらに消滅前には白から黄色（赤と緑の組合わせ）に移行する。
【０００４】
静止画像のケースでは、この効果は肉眼によって次のようにフィルタリングされる。すなわち白のみが知覚される。それに比べて動画の場合では、肉眼は表示されたカラーの遷移変化に、より敏感に反応する。すなわち黒の背景上を白の矩形が移動する場合にそれは立ち上がりは青で達下がりは黄色に見える。
【０００５】
この残光問題を補償するためには、これまでは同様の時間応答を有する新たな青、赤、緑の蛍光体を用いた技法しか知られていない。
【０００６】
本発明の課題は、ビデオ画像処理によって蛍光体残光に起因する表示欠陥を補正することである。
【０００７】
それ故に、本発明は、プラズマディスプレイパネル上にビデオ画像シーケンスを表示するための方法であって、複数の基本セルを有しており、該複数の基本セルの各々は、均等に分散配置された複数の蛍光体の少なくとも２つのタイプの中から１つのタイプの蛍光体を含んでおり、ビデオ画像の表示は、複数のサブスキャンによって分割された表示周期毎に行われ、前記表示周期の間に、各基本セルが関連する蛍光体のタイプに応じた色の光で発光と消光を繰り返す形式のものに関している。本発明によれば、２つの連続する画像の間の動きに対応する動きベクトルがコンピュータ処理され、少なくとも１つのタイプの蛍光体に関連付けられた複数のサブスキャンが表示される。変位の振幅は、動きベクトルの振幅と蛍光体のタイプに依存する。
【０００８】
このサブスキャンの変位の目的は、蛍光体の少なくとも１つのタイプ、特に青色蛍光体によってなされる情報の遅延である。
【０００９】
さらに本発明は、複数の基本セルを有しており、該複数の基本セルの各々は、均等に分散配置された複数の蛍光体の少なくとも２つのタイプの中から１つのタイプの蛍光体を含んでおり、ビデオ画像の表示は、複数のサブスキャンによって分割された表示周期中に行われ、該表示周期の間は、各基本セルが、それに関連する蛍光体のタイプに応じた色の光で発光と消光を繰り返す形式のプラズマディスプレイパネルに関している。このパネルは、、２つの連続する画像の間の動きに対応する動きベクトルをコンピュータ処理するための動き予測部と、少なくとも１つのタイプの蛍光体に関連付けられた複数のサブスキャンを表示するための手段を含んでいる。変位の振幅は、動きベクトルの振幅と蛍光体のタイプに依存する。
【００１０】
本発明のさらなる特徴や利点は、以下で述べる詳細な説明によって明らかとなる。以下の説明では、次のような参照図面を参考にしている。すなわち
図１Ａ〜図１Ｅは蛍光体の時間応答に対するタイミングダイヤグラムを表した図であり、
図２Ａは、２つの連続画像における移動対象に対するサブスキャンを表した図であり、
図２Ｂは本発明の第１実施例を示した図であり、
図２Ｃは、本発明の第２実施例を示した図であり、
図３は、本発明による方法の実施を可能にするシステムの例を示した図である。
【実施例】
【００１１】
次に本発明を図面に基づき以下の明細書で詳細に説明する。前述したように、青色蛍光体は、赤色蛍光体や緑色蛍光体よりも短い残光時間を有しており、同じ様に赤色蛍光体は、緑色蛍光体よりも短い残光時間を有している。それ故に本発明では、残光作用の補正のために、緑色蛍光体によって得られる情報に関連して青色蛍光体と赤色蛍光体による情報は遅延させられるべきである。このために、２つの連続画像の間の動きが予測され、青色蛍光体と赤色蛍光体に関連した複数のサブスキャンが、動きとは反対の方向に変位させられる。この変位の振幅は蛍光体のタイプに依存する。
【００１２】
ビデオ画像が画像表示周期に亘って分散された複数のサブスキャンによってプラズマディスプレイパネル（ＰＤＰ）上に表示されることおよびサブスキャンのセットが蛍光体の各タイプ毎に提供されることは、呼び戻し可能である。
【００１３】
次に以下の説明では本発明の方法を図面に基づいて説明する。なおここでは赤色蛍光体と緑色蛍光体は、同じ残光時間を有しているものとする。従って青色蛍光体による情報のみが赤色蛍光体と緑色蛍光体による情報に比べて遅れを伴う。
【００１４】
図２Ａには、動き対象に対するサブスキャンが２つの連続画像Ｉ及びＩ＋１で表されている。この図ではｘ軸は、画像Ｉ及びＩ＋１の画素を表し、ｙ軸は時間を表している。この動き対象は、画像Ｉと画像Ｉ＋１の間で４つの画素によって表示される。図をよりわかりやすくする理由から、赤色蛍光体に関連する全てのサブスキャンと緑色蛍光体に関連する全てのサブスキャンは、図２Ａにおいては併合して斜線の付された帯域によって表している。青色蛍光体に関連するサブスキャンは、赤色および緑色蛍光体に関連するサブスキャンのバックグランドとして黒の帯域によって表されている。
【００１５】
本発明によれば、画像Ｉと画像Ｉ＋１の間で対象の動きが予測される。それにより動きベクトルＭＶは、コンピュータ処理される。青色に関するサブスキャンは、この動きに反する方向で表される。青色蛍光体に関連するサブスキャンの変位（ずれ）は、図２Ｂによって表されている。この変位の振幅は、動きベクトルＭＶの値と問題の蛍光体のタイプに依存する。
【００１６】
図２Ｂのイラストのケースでは、動きの振幅が、ΔＭＶ（＝ｋ×ＭＶ、(ｋ=１/４)）に等しく、すなわち１画素に等しい。前記ベクトルＭＶに与えられる計数ｋは、蛍光体の時間応答特性と照明時間の平均分布に依存する。計数ｋ＝１/４は、生じ得る種々の照明毎の赤色及び緑色光重心に関する青色光重心の平均進行の近似に相応している。この計数ｋは、蛍光体の選択に応じて変更されるものであるが、サブスキャンの回数及びサブスキャンの間のイルミネーションウエイトの分布にも応じて変更され得る。
【００１７】
有利には、これらのサブスキャンは、プラズマディスプレイパネル内の輪郭特有の影響を補正するために、画像のタイムスロット内のそれらの時間的な位置に応じてずらされる。これについては例えばヨーロッパ特許出願 EP 0 980 059 明細書に記載がある。この実施方法は図２Ｃに示されている。それらに関連する蛍光体のタイプのいかんにかかわらず、これらのサブスキャンは、輪郭固有の欠陥を補償するために、動きの方向で変位される。それ故に残光補償は、輪郭補償と共に累積的となる。但し青色蛍光体に対してのみである。
【００１８】
本発明の方法の実施は多くの形態で可能である。そのうちの一例は図３に示されている。画像メモリ１０は、記憶すべき画像ストリームを受信する。このメモリのサイズは、少なくとも３つの画像の記憶を可能にするものであり、画像Ｉ＋１が記憶されている間に画像Ｉが画像Ｉ−１を用いて処理できる。計算機回路１１、例えば信号プロセッサは、種々の画像に関連させるべき動きベクトルをコンピュータ処理し、前述したような手法に従って画像サブスキャンをシフトさせ、プラズマタイトル１４の行ドライバ１２および列ドライバ１３に対するイグニッション信号を供給する。同期化回路１５は、ドライバ１２と１３の同期化のために設けられている。この構成は一例にすぎない。
【００１９】
本発明ではその他の実施例も可能である。前述の実施例は、真の演色性をもたせるために３つのタイプの蛍光体を用いたシステムで構成されている。特定のシステムで、真の演色性を再現する画像が求められないような適用ケースの場合では、より少ない数の蛍光体が使用されることもあり得る。本発明は異なる時間応答性を有する２つのタイプの蛍光体のもとでも適用し得る。
【００２０】
前述した実施方法によれば、青色のみが補正されている。より完璧な補正のためには、赤色も補償すべきであることはいうまでもない。しかしながらそのような補償は、緑と赤の間の違いが知覚されない程度のものであればほとんど必要ない。言い換えれば、本発明の方法によって２つのカラーの補正が必要となるのは、より強力な蛍光体の使用により各カラー対の間でより大きなばらつきが現れた時などである。
【図面の簡単な説明】
【００２１】
【図１】Ａ〜Ｅは蛍光体の時間応答に対するタイミングダイヤグラムを表したずである
【図２Ａ】２つの連続画像における移動対象に対するサブスキャンを表した図である
【図２Ｂ】本発明の第１実施例を示した図である
【図２Ｃ】本発明の第２実施例を示した図である
【図３】本発明による方法の実施を可能にするシステムの例を示した図である
【図１】
2004525431.tif 000003
【図２Ａ】
2004525431.tif 000004
【図２Ｂ】
2004525431.tif 000005
【図２Ｃ】
2004525431.tif 000006
【図３】
2004525431.tif 000007
【国際公開パンフレット】
2004525431.tif 000008
2004525431.tif 000009
2004525431.tif 000010
2004525431.tif 000011
2004525431.tif 000012
2004525431.tif 000013
2004525431.tif 000014
2004525431.tif 000015
2004525431.tif 000016
2004525431.tif 000017
2004525431.tif 000018
2004525431.tif 000019
2004525431.tif 000020
2004525431.tif 000021
【国際公開パンフレット（コレクトバージョン）】
2004525431.tif 000022
2004525431.tif 000023
【国際調査報告】
2004525431.tif 000024
2004525431.tif 000025